(57)【要約】【課題】静電気障害防止部材がドアノブなどに接してから、ユーザが静電気障害防止部材に接してしまっても、ユーザに静電気が飛ばないようにすることを目的とする。【解決手段】筐体と、前記筐体に配設されその外部に露出している対人接端子９と、前記筐体に配設されその外部に露出している放電接端子８と、対人接端子９と放電接端子８とに電気的に接続されている放電回路１０と、を有し、放電回路１０は、抵抗（１３）を有する。【選択図】図３
2010154322.tif 000002
【特許請求の範囲】
【請求項１】
筐体と、
前記筐体に配設されその外部に露出している対人接端子と、
前記筐体に配設されその外部に露出している放電接端子と、
前記対人接端子と前記放電接端子とに電気的に接続されている放電回路と、を有し、
前記放電回路は、通電抑制素子を有する
携帯電子機器。
【請求項２】
前記筐体は開口部を有し、
前記放電回路はネオン管を有し、
前記開口部にネオン管が配設されている
請求項１に記載の携帯電子機器。
【請求項３】
前記筐体は表示部を有し、
前記表示部は、放電があったときに放電完了表示を行う
請求項１又は２に記載の携帯電子機器。
【請求項４】
前記筐体内部に配設された携帯電子機器の制御をおこなう電子回路を有し、
前記電子回路は基準電位となるグランドを有し、
前記グランドは、前記放電回路と電気的に接続されている
請求項１〜３いずれか１項に記載の携帯電子機器。
【請求項５】
前記放電回路は前記電子回路と同一の基板上に形成される
請求項１〜４いずれか１項に記載の携帯電子機器。
【請求項６】
前記通電抑制素子は、抵抗によって構成される
請求項１〜５いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、携帯電話機に静電気除去機能を有させる発明が記載されている。具体的には、静電気障害防止部材を携帯電話の表面に構成し、この静電気障害防止部材の一部を帯電したユーザが把持し、この静電気障害防止部材の他の部分をドアノブに接続させることによっている。
【特許文献１】特開２００３―２５８９６３号公報
【発明の開示】
【発明が解決しようとする課題】
【０００３】
しかしながら、この特許文献１の方法では、静電気障害防止部材がドアノブなどに接してから、ユーザが静電気障害防止部材に接してしまうと、静電気を逃がしたいユーザに静電気が飛んでしまうことになる。
【０００４】
本発明の目的は、静電気障害防止部材がドアノブなどに接してから、ユーザが静電気障害防止部材に接してしまっても、ユーザに静電気が飛ばない携帯電子装置を提供することを目的とする。
【課題を解決するための手段】
【０００５】
本発明の携帯電子機器は、筐体と、前記筐体に配設されその外部に露出している対人接端子と、前記筐体に配設されその外部に露出している放電接端子と、前記対人接端子と前記放電接端子とに電気的に接続されている放電回路と、を有し、前記放電回路は、通電抑制素子を有する。
【０００６】
好適には、前記筐体は開口部を有し、前記放電回路にはネオン管を有し、前記開口部にネオン管が配設されている。
【０００７】
好適には、前記筐体は表示部を有し、前記表示部は、放電があったときに放電完了の表示がなされる。
【０００８】
好適には、前記筐体内部に配設された携帯電子機器の制御をおこなう電子回路を有し、前記電子回路は基準電位となるグランドを有し、前記グランドは、前記放電回路と電気的に接続されている。
【０００９】
好適には、前記放電回路は前記電子回路と同一の基板上に形成される。
【００１０】
好適には、前記通電抑制素子は、抵抗によって構成される。
【発明の効果】
【００１１】
本発明によれば、静電気障害防止部材がドアノブなどに接してから、ユーザが静電気障害防止部材に接してしまっても、ユーザに静電気が飛ばない携帯電子装置を提供することができる。
【発明を実施するための最良の形態】
【００１２】
図１は、本発明の実施形態に係る携帯電話機１の外観を開状態で示す斜視図である。
【００１３】
携帯電話機１は、いわゆる折り畳み式の携帯電話機１として構成されており、開状態と閉状態との間で互いに回動可能に連結された第１筐体２及び第２筐体３を有している。図１は、第１筐体２及び第２筐体３の開状態を示している。第１筐体２は、第２筐体３と対向する部分を構成する第１筐体フロントケース４と、第２筐体３とは反対側部分を構成する第１筐体リアケース５とを有している。第２筐体３は、第１筐体２と対向する部分を構成する第２筐体フロントケース６と、第１筐体２とは反対側部分を構成する第２筐体リアケース７とを有している。
また、第１筐体フロントケース４には、折り畳まれたときに第２筐体フロントケース６と対向する面に表示部２３が配置されている。
【００１４】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１５】
なお、方向を示すときは、第１筐体リアケース５から第１筐体フロントケース４に向かう方向を内部側方向といい、第１筐体フロントケース４から第１筐体リアケース５に向かう方向を外部側方向という。
同様に第２筐体リアケース７から第２筐体フロントケース６に向かう方向を内部側方向といい、第２筐体フロントケース６から第２筐体リアケース７に向かう方向を外部側方向という。
【００１６】
図２は、携帯電話機１を閉じた状態での外観の斜視図である。
【００１７】
第１筐体リアケース５にはその外側方向にネオン管窓１８が空けられ、その内部にネオン管１７が配設されている。
このネオン管１７については、後述するが、放電時に光らせることにより放電があったことをユーザに知らせる役目を有する。そして、このネオン管１７を外部から視認可能とするために第１筐体リアケース５にネオン管窓１８が空けられる。
ところで、ネオン管１７は通常ガラス等の衝撃に弱い材料によって作られていることから、ネオン管１７が外部から外力が加わらないように、第１筐体リアケース５にネオン管窓１８を空け、この内部にネオン管１７を配置している。したがって、ネオン管１７が外力に強い材質によって構成される、又は、ネオン管１７を保護する部材を配置するのであればネオン管窓１８は不要であり、筐体表面など外力が直接加わる部分に配置することができる。
【００１８】
また、第１筐体２及び第２筐体３の側面部には、ユーザが放電する時に手に触れる部分である対人接端子９を有する。もっとも、この対人接端子９の位置は放電行為を行う時に通常ユーザが触る部分であれば他の携帯電話機１の表面のどの場所であってもよいし、できるだけ多くの面積を占めさせることによって確実にユーザに触れさせるべきである。
【００１９】
第１筐体２と第２筐体３との接合部分には、ユーザの静電気を逃がすためにドアノブや壁などに押しつけられる部分である放電接端子８をも有する。この、放電接端子８は静電気を放電するための部材であるから電気伝導性のある物質で構成される必要がある。さらに、この放電接端子８は壁やドアノブなど硬い物質に押しつけられるのであるから、ある程度弾性力を有する材質で構成して、押しつけられた時の衝撃を吸収して携帯電話機１の本体部分である第１筐体２及び第２筐体３にその衝撃を伝えない様にする必要がある。
【００２０】
図３は、第１筐体２内部での回路の配置を説明する説明図である。
【００２１】
対人接端子９は第１筐体２の側面部に配置されている。そして、この対人接端子９は放電回路１０の一部を成す放電回路素子１３と電気的に結合されている。また放電回路１０は、この放電回路素子１３の他にネオン管１７及び放電検出部２２をも有している。
ネオン管１７は電流が流れると光を発する部材であり放電が生じているのかをユーザが直接認識するためのものであるが、これに加えて放電が生じているのかを携帯電話機１が検知するための放電検出部２２が設けられている。
【００２２】
放電回路１０の対人接端子９と接合する部分の反対側において、前述のネオン管１７及び放電検出部２２が設けられている。そして、放電回路１０はネオン管１７及び放電検出部２２が存在する側において、放電接端子８と接合している。
また、回路基板１２も第１筐体２の内部空間に収納されている。この回路基板１２は携帯電話機１の各種制御を行っている。
この回路基板１２の図示しないグランド１５と放電回路１０とを、グランド接続線１１が接続している。
放電回路素子１３と、ネオン管１７及び放電検出部２２との間部分にこのグランド接続線１１が接続されている。
そして、放電回路１０に携帯電話機１の基準電位となる図示しないグランド１５を接続することによって、携帯電話機１内の静電気をも放電させることができる。
【００２３】
図４は、図３の回路図面である。
【００２４】
携帯端末回路１６には、携帯電話機１を制御するために各種電子素子が配置されているが、本発明とは直接関係がないのでどのような電子素子が配置されているのかは省略する。
この携帯端末回路１６内はその基準電位となるグランド１５を有する。そして、このグランド１５と放電回路１０はグランド接続回路２０を介して接続されている。
【００２５】
このグランド接続回路２０はグランド接続回路素子１４及びグランド接続線１１から構成されている。そして、グランド接続回路素子１４は抵抗を配置することによって、放電接端子８又は対人接端子９から電流がグランド１５内に入り込むことを防いでいる。つまり、グランド１５内に電流が入り込むと、グランド１５は携帯端末回路１６の一部であるため携帯電話機１自体を破壊してしまうおそれがある。そこで、抵抗を配置してこれを防いでいる。
つまり、放電回路素子１３の抵抗Ｒ１よりもグランド接続回路素子１４の抵抗Ｒ２を極めて大きくとること（Ｒ２＞＞Ｒ１）によって、グランド１５内に電流が入り込むことを防いでいる。
具体的な一例としては、Ｒ２＝１０ＭΩ程度とし、Ｒ１＝２〜３ＭΩとすることができる。
【００２６】
放電回路１０は一端に放電接端子８を有し、他端に対人接端子９を有している。そして、その間にグランド１５と接続している接続部分がある。その接続部から放電接端子８側にネオン管１７及び放電検出部２２が配置されている。接続部から対人接端子９側に放電回路素子１３が配置されている。
【００２７】
ネオン管１７はユーザが直接放電を確認することができるように配置されているものである。もっとも、後述するように放電検出部２２の検出結果によって表示部２３等に表示することのみによる方法も可能であり、この場合にはネオン管１７は省略される。
放電検出部２２は放電が完了したのかを検出して、その結果を後述する制御部２１に通知する。そして後述する制御部２１は表示部２３等にその旨の表示を行う等の制御を行う。
【００２８】
静電気障害防止部材を必要とするユーザは乾燥肌等のため、静電気が放電する際のショックや痛みに敏感であり、放電が終了していないのではないかとの不安を感じる恐れがある。そこで、ネオン管１７及び放電検出部２２等の放電が完了したのかを確認するための部材が必要となるのである。
【００２９】
放電回路素子１３は、放電接端子８がドアノブなどに接してから、ユーザが対人接端子９に接してしまっても、ユーザに静電気が飛ばないようにすることを目的としている。
この放電回路素子１３は、抵抗によって構成され、対人接端子９からユーザに放電することを防いでいる。
【００３０】
図３では、放電回路１０と携帯端末回路１６が構成される回路基板１２は別に構成した例を記載したが、必ずしも別に構成する必要はない。つまり、回路基板１２に放電回路１０と携帯端末回路１６の両方を構成することも可能であり、そのようにした方が回路を一体的に構成できるのであるからより有利である。
【００３１】
図５は、本発明の変形例その１を示している。
【００３２】
ネオン管１７及びネオン管窓１８が、第１筐体リアケース５側ではなく第２筐体リアケース７側に設けられた例である。また、対人接端子９を第１筐体２及び第２筐体３の側面ではなく、ストラップ１９の接続部分に設けている。そして、ストラップ１９も電気を伝導する材質によって構成している。
そうすることによって、ストラップ１９にのみユーザが接していても静電気を逃すことができ、より確実にユーザに帯電した静電気を逃がすことができる。
【００３３】
図６は、携帯電話機１の制御構成を説明する説明図である。
【００３４】
携帯電話機１は制御・処理の中枢である制御部２１を有する。制御部２１、放電検出部２２及び表示部２３のそれぞれが、アドレス、データ、コントロールのためのラインが複数本からなるシステムバス２５に共通に接続される。
【００３５】
放電検出部２２は、ネオン管１７の両端に接続してその両端の電圧を測定することによって、放電が完了したのかを検出している。たとえばアナログ／デジタル変換機によることもできる。
【００３６】
表示部２３は、例えばＬＣＤやＯＬＥＤ（Organic light-emitting diode（有機ＥＬ））を用いて構成されており、制御部２１から供給される映像信号に応じた画像を表示する。
表示部２３は、例えば、通信部による無線発信時における発信先の電話番号、着信時における発信元の電話番号、受信メールや送信メールの内容、日付、時刻、電池残量、発信成否、待ち受け画面等を表示する。
本発明においては、これらに加えて放電が完了した旨の表示も行う。
【００３７】
制御部２１は、携帯電話機１の全体的な動作を統括的に制御する。
すなわち、制御部２１は、携帯電話機１の各種処理（回線交換網を介して行われる音声通話、電子メールの作成と送受信、インターネットのＷｅｂ上のサイトの閲覧など）が操作部の操作に応じて適切な手順で実行されるように、上述した各ブロックの動作（通信部における信号の送受信、表示部２３における画像の表示、撮像部における撮像処理等）を制御する。
さらに、制御部２１は、記憶部に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部２１は、記憶部に格納されるオペレーティングシステムやアプリケーションプログラム等のプログラムから命令コードを順次受け取って処理を実行する。
【００３８】
図７は、ネオン管１７による方法に替えて、またはネオン管１７による方法に加えて、表示部２３に放電完了を知らせる方法を示した一例である。
【００３９】
表示部２３の一部に、放電が完了していない旨の表示（例えば、図番３０で示す「放電注意」）及び放電が完了した旨の表示（例えば、図番２４で示す「放電完了」）がなされる。
【００４０】
以上の実施形態によれば、筐体と、前記筐体に配設されその外部に露出している対人接端子９と、前記筐体に配設されその外部に露出している放電接端子８と、対人接端子９と放電接端子８とに電気的に接続されている放電回路１０と、を有し、放電回路１０は、（放電回路素子１３である）抵抗を有する。
これによって、放電接端子８がドアノブなどに接してから、ユーザが対人接端子９に接してしまっても、ユーザに静電気が飛んでしまうということを防止することができる。
また、常に携帯する携帯電話機１に静電気逃がし機能を持たせたことから、静電障害防止部材を携帯し忘れるということがなくなる。
【００４１】
また、前記筐体はネオン管窓１８を有し、放電回路１０にはネオン管１７を有し、前記開口部にネオン管１７が配設されているので、ユーザは放電が行われたか肉眼で確認することができるのであるから、静電気が飛ぶのではないかとおそれることがなくなる。
【００４２】
また、前記筐体は表示部２３を有し、前記表示部２３は、放電があったときにその旨の表示がなされるから、ユーザはネオン管１７における放電による発光を見逃しても、放電が行われたことを知ることができ、安心してドアノブなどに触れることができる。
【００４３】
また、前記筐体内部に配設された携帯電話機１の制御をおこなう携帯端末回路１６と、を有し、携帯端末回路１６は基準電位となるグランド１５を有し、グランド１５は、放電回路１０と電気的に接続されている。
これによって、携帯電話機１の制御をおこなう携帯端末回路１６に帯電する静電気を放電することができ、携帯電話機１の携帯端末回路１６に電荷がたまって携帯電話機１が誤作動することを防ぐことができる。
【００４４】
また、放電回路１０は携帯端末回路１６と同一の基板上に構成されることから、放電回路１０を別に構成する必要がなくなる。
【００４５】
また、前記通電抑制素子は、抵抗によって構成されることから、ユーザ側に放電することを防ぐことができる。
【００４６】
なお、以上の実施形態において、携帯電話機１は携帯用電子機器の一例である。
【００４７】
本発明は、以上の実施形態に限定されず、種々の態様で実施されてよい。
【００４８】
図８は、本発明の変形例その２を示した説明図である。
基本的な構成は図３で示したものと同じであるが、放電接端子８及び対人接端子９が大きくなっている点、並びに、放電回路素子１３と対人接端子９とがばねによって結合されている点が異なる。
放電接端子８及を大きくすることによって、容易にドアノブなどに接合することができる様になる。また、対人接端子９を大きくすることによって、ユーザは容易に把持することができる様になる。
さらに、対人接端子９がバネ部材によって保持されるために落下等の衝撃を吸収することができ、携帯電話機１の破損を防ぐことができる。加えて、放電接端子８も柔らかい部材によって構成することによって、同じく落下等の衝撃を吸収することができる。
このように、衝撃等を吸収する部材から構成する場合には、携帯電話機１のほぼ全体を覆って衝撃を吸収させるとともに、静電気障害防止機能をも有させることができる。
【００４９】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【図面の簡単な説明】
【００５０】
【図１】本発明の実施形態に係る携帯電話機１の外観を開状態で示す斜視図である。
【図２】携帯電話機１を閉じた状態での外観の斜視図である。
【図３】第１筐体２内部での回路の配置を説明する説明図である。
【図４】図３の回路図面である。
【図５】本発明の変形例その１を示した説明図である。
【図６】携帯電話機１の制御構成を説明する説明図である。
【図７】ネオン管１７による方法に替えて、またはネオン管による方法に加えて、表示部２３に放電完了を知らせる方法を示した一例である。
【図８】本発明の変形例その２を示した説明図である。
【符号の説明】
【００５１】
１…携帯電話機（携帯電子機器）、２…第１筐体、３…第２筐体、４…第１筐体フロントケース、５…第１筐体リアケース、６…第２筐体フロントケース、７…第２筐体リアケース、８…放電接端子、９…対人接端子、１０…放電回路、１１…グランド接続線、１２…携帯回路基板、１３…放電回路素子、１４…グランド接続回路素子、１５…グランド、１６…携帯端末回路、１７…ネオン管、１８…ネオン管窓、１９…ストラップ、２０…グランド接続回路、２１…制御部、２２…放電検出部、２３…表示部、２５…システムバス、２６…バネ部材
【図１】
2010154322.tif 000003
【図２】
2010154322.tif 000004
【図３】
2010154322.tif 000005
【図４】
2010154322.tif 000006
【図５】
2010154322.tif 000007
【図６】
2010154322.tif 000008
【図７】
2010154322.tif 000009
【図８】
2010154322.tif 000010